(57)【要約】【課題】シャツめくれ現象が抑制されたロッキング椅子を提供する。【手段】椅子は、ベース３と中間部材４２と座４と揺動フレーム１０と背もたれ６６とを有しており、中間部材４２の前部はベース３にフロントリンク４３で連結されている。座４と揺動フレーム１０とはリアリンク１４で連結されている。前後のリンク４３，１４の規制作用により、座４はロッキングに際して背もたれ６よりも小さい角度で後傾しつつ大きく後退動する。フロントリンク４３は上部材５４と下部材５３とで伸縮式に構成されており、このためロッキング時に中間部材４２は大きく後退する。中間部材４２には補助枠材４５が前後スライド自在に装着されており、座４は補助枠材４５に連結されている。フロントリンク４３の上部材は補助枠材４５に連結されており、座４は中間部材４２より大きな割合で後退動する。【選択図】図４
2010099445.tif 000002
【特許請求の範囲】
【請求項１】
人が腰掛ける座と、着座した人がもたれ掛かり得る背もたれと、前記座の下方に配置されているベースと、前記ベースに後傾動自在に連結されていると共に背もたれが設けられた背フレームとを備えており、
前記座とベースとは、座がベースに対して後退しつつ後傾し得るようにフロントリンクで連結されており、更に、座と背フレームとは、背フレームが後傾すると座が背フレームの後傾角度より小さい角度で後傾しつつ後退するように連動せしめられている、
という構成の椅子であって、
前記フロントリンクはその長さが変化する伸縮式であり、背フレームの後傾動によってフロントリンクが伸びつつ座が後退するようになっている、
ロッキング椅子。
【請求項２】
人が腰掛ける座と、着座した人がもたれ掛かり得る背もたれと、前記座の下方に配置されているベースと、前記ベースに後傾動自在に連結されていると共に背もたれが設けられた背フレームとを備えており、
前記座とベースとは、座がベースに対して後退しつつ後傾し得るようにフロントリンクで連結されており、前記座と背フレームとは、背フレームが後傾すると座が背フレームの後傾角度より小さい角度で後傾しつつ後退するように連動せしめられている、
という構成の椅子であって、
前記座とベースとの間には、前記フロントリンクが連結され中間部材を配置しており、前記中間部材に、前記座が、前記背フレームが後傾動すると座が中間部材よりも大きく後退動する状態で取り付けられている、
ロッキング椅子。
【請求項３】
人が腰掛ける座と、着座した人がもたれ掛かり得る背もたれと、前記座の下方に配置されているベースと、前記ベースに後傾動自在に連結されていると共に背もたれが設けられた背フレームとを備えており、
前記座とベースとは、座がベースに対して後退しつつ後傾し得るようにフロントリンクで連結されており、前記座と背フレームとは、背フレームが後傾すると座が背フレームの後傾角度より小さい角度で後傾しつつ後退するように連動せしめられている、
という構成の椅子であって、
前記座とベースとの間には中間部材が配置されている一方、前記フロントリンクはスライド自在で抜け不能に嵌まり合った下部材と上部材とから成っており、前記フロントリンクの下部材がベースと中間部材とに連結され、フロントリンクの上部材は座に直接に又は他の部材を介して連結されている、
請求項１又は２に記載したロッキング椅子。
【請求項４】
前記座は中間部材に前後位置調節可能に取り付けられている、
請求項２又は３に記載したロッキング椅子。
【請求項５】
前記中間部材には、前記フロントリンクの上部材が連結された補助枠材を前後動自在に取り付けており、このため、前記背フレームが後傾すると補助枠材は中間部材よりも大きな割合で後退するようになっており、かつ、前記補助枠材と座とは一緒に前後動するように連結されている、
請求項３又は４に記載したロッキング椅子。
【請求項６】
前記補助枠材に対する座の連結位置を前後方向に変更可能になっている、
請求項５に記載したロッキング椅子。
【発明の詳細な説明】
【技術分野】
【０００１】
本願発明は、背もたれの後傾動に連動して座が後退及び後傾するタイプのロッキング機能に関するものである。
【背景技術】
【０００２】
背もたれの後傾動に連動して座が後退及び後傾する椅子は事務用椅子を初めとして広く使用されており、座を背もたれに連動させる機構についても様々な構成が提案され或いは実施されている。その例として例えば特許文献１には、ベースに後傾動自在に連結された背フレームに背もたれを取り付けた方式の椅子において、座の前部に下向き突部を設けてこの下向き突部を座に連結することにより、座が僅かに後退しつつ後傾することを許容し、更に、座と背フレームとをリンクで連結することが開示されている。
【０００３】
他方、特許文献２には、座を第１リンクと第２リンクとの前後のリンクでベースに連結することで座の後退動と後傾動とを許容すると共に、座と背フレームとを第３リンクで連結することで座と背フレーム（背もたれ）とを連動させることが開示されている。
【特許文献１】特開２００３−２５０６５１号公報
【特許文献２】米国特許明細書第６７０９０５７号
【発明の開示】
【発明が解決しようとする課題】
【０００４】
背もたれの後傾動に連動して座を後退及び後傾させることの目的の１つに、ロッキング時に座と背もたれとの間隔が広がることをできるだけ防止して背ずれ又はシャツ捲れの現象を抑制することがある。すなわち、ロッキングに際して座と背もたれとが相対的に離反すると、着座者の背中が背もたれに対して下向きに滑って、シャツが捲れるような現象を呈して人に違和感や不快感を与えることであり、そこで、ロッキングに際して座と背もたれとの相対距離をなるべく変化させないように、座を後退させつつ後傾させているのである。
【０００５】
そこで特許文献１，２について検討するに、特許文献１は本質的に座の前部をベースに連結しているものであり、非ロッキング時とロッキング時とで座の前部の高さと前後位置とは殆ど違いはないため、座を背もたれに追従させるという機能はあまり期待できない。従って、背ずれ又はシャツ捲れ現象の防止という効果はあまり期待できないと言える。
【０００６】
他方、特許文献２では第１リンクと第２リンクとで平行リンク機構に近いリンク機構が構成されているため、第１リンクと第２リンクとの長さや後傾角度を選択することでロッキング時に座を大きく後退させることができ、従って、背ずれ又はシャツ捲れ現象を防止する機能に優れていると言える。また、リンクを使用した連動機構は構造が簡単であるという利点も有している。
【０００７】
本願発明は、特許文献２のように座をリンクでベースに連結する方式を踏襲しつつ、椅子の機能が的確に発揮されるように改良せんとするものである。より具体的には、本願発明は、ロッキングに際しての座の後退量を大きく取れるようにすることにより、ロッキング時の快適性を向上させることを主たる目的としている。
【課題を解決するための手段】
【０００８】
本願発明に係る椅子は、「人が腰掛ける座と、着座した人がもたれ掛かり得る背もたれと、前記座の下方に配置されているベースと、前記ベースに後傾動自在に連結されていると共に背もたれが設けられた背フレームとを備えており、前記座とベースとは、座がベースに対して後退しつつ後傾し得るようにフロントリンクで連結されており、更に、座と背フレームとは、背フレームが後傾すると座が背フレームの後傾角度より小さい角度で後傾しつつ後退するように連動せしめられている」、という基本構成になっている。
【０００９】
そして、請求項１の発明では、上記基本構成において、前記フロントリンクはその長さが変化する伸縮式であり、背フレームの後傾動によってフロントリンクが伸びつつ座が後退するようになっている。
【００１０】
請求項２の発明は、上記基本構成において、前記座とベースとの間には、前記フロントリンクが連結され中間部材を配置しており、前記中間部材に、前記座が、前記背フレームが後傾動すると座が中間部材よりも大きく後退動する状態で取り付けられている。
【００１１】
請求項３の発明は請求項１と請求項２とを組み合わせものであり、上記基本構成において、前記座とベースとの間には中間部材が配置されている一方、前記フロントリンクはスライド自在で抜け不能に嵌まり合った下部材と上部材とから成っており、前記フロントリンクの下部材がベースと中間部材とに連結され、フロントリンクの上部材は座に直接に又は他の部材を介して連結されている。
【００１２】
請求項４の発明は、請求項２又は３において、前記座は中間部材に前後位置調節可能に取り付けられている。
【００１３】
請求項５の発明は、請求項３又は４において、前記中間部材には、前記フロントリンクの上部材が連結された補助枠材を前後動自在に取り付けており、このため、前記背フレームが後傾すると補助枠材は中間部材よりも大きな割合で後退するようになっており、かつ、前記補助枠材と座とは一緒に前後動するように連結されている。更に請求項６の発明では、請求項５において、前記補助枠材に対する座の連結位置を前後方向に変更可能になっている。
【発明の効果】
【００１４】
さて、座とベースとをフロントリンクで連結した場合、ロッキングに際しての座の後退量を大きくするためにはフロントリンクの長さを長くすれば良いと考えられる。しかし、フロントリンクが回動すると座は下降するため、単にフロントリンクの長さを長くしたに過ぎない場合は、ロッキングに際して座が過度に下降し過ぎる虞がある。
【００１５】
これに対して本願請求項１の発明のようにフロントリンクを伸縮式に構成すると、ロッキングに際して座は過度に下降させることなく大きく後退させることがてきるのであり、これにより、座が下降し過ぎることによる違和感を無くししつつ座を大きく後退させて、シャツめくれ現象が防止又は著しく抑制された使用感の高い椅子と成すことができる。
【００１６】
請求項２の発明では、ロッキングによって後退動する中間部材に対して更に座が相対的に後退するため、請求項１の発明と同様に、ロッキングに際して座はその高さを過度に低くすることなく大きく後退することが可能になり、その結果、座が下降し過ぎることによる違和感を無くししつつ座を大きく後退させて、シャツめくれ現象が防止又は著しく抑制された使用感の高い椅子と成すことができるのである。
【００１７】
請求項１の発明は中間部材を設けてない構成も採用可能であり、また、請求項２の発明はフロントリンクを伸縮式にしない構成も採用可能であるが、請求項３のように請求項１と請求項２とを組み合わせた構成を採用すると、本願発明の効果をより的確に発揮させることができる。また、中間部材を設けることにより、請求項４のように座の前後位置を調節することが可能になる。
【００１８】
請求項３，４の場合、座とフロントリンクの上部材とを直接に連結することにより、座をフロントリンクの上端で直接に押し引きすることも可能であるが、請求項５のようにフロントリンクと座との間に補助枠材を介在させると、座や中間部材を加工するに際して制約が低くなるため、設計の自由性を向上できる。また、請求項６のように補助枠材を座の前後位置調節手段部材に兼用することも可能になる。
【００１９】
座の前後位置を調節可能である場合、フロントリンクの上部材を座に直接に連結すると、座を前後に移動させはた各状態においてフロントリンクの上部材が座に連結されておらねばならず、従って構造が相当に複雑化する虞がある。これに対して請求項６の構成を採用すると、座とフロントリンクとは直接には関連しておらず、座は補助枠材に対する連結位置を変えることで前後位置を調節（変更）できるため、簡単な構造で座の前後位置を実現できる利点である。
【発明を実施するための最良の形態】
【００２０】
次に、本願発明の実施形態を図面に基づいて説明する。本実施形態は、事務用に多用されている回転椅子に適用している。以下の説明では方向を特定するための左右の文言を使用するが、これは着座者の姿勢を基準にしている。
【００２１】
(1).概要
まず、椅子の概要を説明する。図１のうち（Ａ）は椅子の斜視図で（Ｂ）は背もたれの部分的な一部破断正面図、図２は側面図である。これら図１，２に示すように、椅子は、主要要素として、脚支柱２を有する脚装置１、脚支柱２の上端に固定されたベース３、ベース３の上方に配置された座４、一部を背もたれ６と成したフレーム装置５、背もたれ６に取付けられたヘッドレスト装置７を備えている。
【００２２】
脚１は放射状に延びる複数本の枝足９を備えており、各枝足９の先端にはキャスタを設けている。脚支柱２は伸縮自在なガスシリンダを使用している。背フレーム５は、ベース３の左右両側において前後方向に延びる揺動フレーム１０と、背もたれ６の一部を構成する正面視略四角形のバックフレーム１１とを有しており、バックフレーム１１は揺動フレーム１０にビスで固定されている。バックフレーム１１にはメッシュ状のシート材１２を張っている。また、バックフレーム１１は、着座者の腰部に当たる部分が最も前向きに突出するように側面視で曲がっており、従って、シート状１２はランバーサポート部を有している。
【００２３】
揺動フレーム１０はその前端部を中心にして後傾するようにベース３に第１軸部１３で連結されている。第１軸部１３にはばね手段の一例としてのトーションバーが内蔵されており、背もたれ６はトーションバーの弾性に抗して後傾動する。
【００２４】
揺動フレーム１０の後部には上向きに延びる背支柱１０ａが一体に形成されており、左右の背支柱１０ａにバックフレーム１１がねじで固定されている。図３のうち（Ａ）は座４を省略した斜視図、（Ｂ）は揺動フレーム１０の斜視図であり、この図３から理解できるように、バックフレーム１１は、揺動フレーム１０における背支柱１０ａの内面部に固定されている。
【００２５】
揺動フレーム１０の内側面にはリアリンク１４が配置されている。リアリンク１４は揺動フレーム１０に似た側面視略Ｌ形の形態であり、起立部１４ａが揺動フレーム１０の背支柱部１０ａの内面に沿って延びており、かつ、リアリンク１４は起立部１４ａの付け根よりもやや手前側の部位においてピン１５で揺動フレーム１０に連結されている。そして、リアリンク１４における起立部１４ａの上端部には、シート材１２のうちラバーサポート部の左右両端部を押すラッパーパッド１６が高さ調節可能に取り付けられている。
【００２６】
背もたれ６が後傾すると、リアリンク１４の起立部１４ａは背もたれ６と一緒に後傾しつつバックフレーム１１に対して相対的に後傾動し、このため、ロッキング時にはシート材１２は張り状態が緩む。
【００２７】
ヘッドレスト装置７はバックフレーム１１の左右内側面から立ち上がった左右のヘッド支柱１７を有しており（図２，３では片方のヘッド支柱１７しか表示していない）、ヘッド支柱１７にヘッドレスト１８が高さ調節可能に取り付けられている。
【００２８】
ヘッド支柱１７はその下端寄りの部位を中心にして前後に回動するようにピンでバックフレーム１１に連結されており、かつ、ヘッド支柱１７の下端は緩衝装置１９を介してリアリンク１４の起立部１４ａに連結されている。従って、ロッキングに際してはヘッド支柱１７はその上部が手前に移動するように回動する。従って、着座した人は、例えばロッキング状態のままで頭を起こすことなくパソコンのディスプレイを楽に見ることができたり、読書に際して本を持ち上げる必要がないといった利点がある。
【００２９】
本願発明において、背もたれ６がロッキングすると座４は後退しつつ後傾動する。リアリンク１４はロッキング時に座４を後退させつつ後傾させる連動手段の一部を成すものであり、本実施形態では、連動手段の構成部材でなるリアリンク１４が、ランバーパッド１６を前後動させる部材とヘッドレスト１８を前後動させる部材とに兼用されている。言うまでもないが、ラッパーパッド１６やヘッドレスト装置７は無くてもよい。
【００３０】
(2).座の構造
次に、座４の構造を主として図４，５に基づいて説明する。図４は座４の分離斜視図であり、この図４に示すように、座４は、樹脂製のインナーショル（座板）２１と、その下方に配置された樹脂製のアウターシェル２２と、インナーシェル２１の上面に張られたクッション（図示せず）を有している。敢えて述べるまでもないが、クッションはクロス等の表皮材で覆われている。インナーシェル２１と上向き凹状に緩く湾曲しており、また、はクッション性を高めるための多数のスリットが形成されている。
【００３１】
アウターシェル２２はその左右両側部を除いて上向き凹状に凹んだ形態であり、座４の左右両側部がアウターシェル２２で支持されている。従って、インナーシェル２１は着座による荷重で下向き凹状に伸び変形することが許容されている。インナーシェル２１はその四隅に近い４カ所がアウターシェル２２に連結（固定）されている。その固定構造を図５に示している。
【００３２】
図５のうち（Ａ）はインナーシェル２１とアウターシェル２２と分離平面図、（Ｂ）はインナーシェル２１とアウターシェル２２とを上下に分離した状態での（Ａ）のＢ−Ｂ視断面図、（Ｃ）はインナーシェル２１とアウターシェル２２とを上下に分離した状態での（Ａ）の（Ｃ）視断面図である。本実施形態では、インナーシェル２１は爪のはめ込みとビスによる締結とでアウターシェル２２に固定されている。
【００３３】
すなわち、図５（Ｂ）に示すように、インナーシェル２１の後部には正面視で外向き鉤形の係止爪２３を下向き突設して、アウターシェル２２の後部には係止爪２３が上向き抜け不能に嵌まる係合凹所２４を形成している一方、インナーシェル２１の手前側のコーナー寄り部位には筒型ボス部２５を下向き突設して、アウターシェル２２の前部には筒型ボス部２５が重なる（部分的に嵌まる）下向き開口の受け部２６を形成し、受け部２６に下方から嵌め込んだビス２７を筒型ボス部２５にねじ込んでいる。
【００３４】
アウターシェル２２の係合凹所２４は、係合爪２３を下向きに嵌め込んでから奥に押し込むと、係合爪２３を上向き抜け不能に保持するようになっている。本実施形態では、爪の変形を利用した固定ではないため取り付け・取り外しの方法を視認しやすく、また、ビス２７は２本だけで良いため固定及び分離の作業を能率よく行える利点がある。
【００３５】
(3).ベース周辺の基本部材
既述のとおり、ロッキングに際して座４は背もたれ６の後傾動に連動して後退しつつ後傾する。この連動機構及び基本的機構部は、従前の図に加えて図６以下の図面も参照して説明する。図６はアウターシェル２２を省略した状態での正面方向からの斜視図、図７は要部を斜め上方から見た分離斜視図、図８は要部を斜め下方から見た分離斜視図、図９のうち（Ａ）は要部の正面方向からの分離図で（Ｂ）は要部側面図、図１０はフロントリンク４３の分離斜視図、図１１のうち（Ａ）は要部の平面図、（Ｂ）は要部の分離平面図、図１２のうち（Ａ）は図１１（Ａ）の XIIA-XIIA視断面図、（Ｂ）は図１１（Ａ）の XIIB-XIIB視断面図である。まず、椅子の基本的なロッキング機構を簡単に説明しておく。
【００３６】
例えば図７に示すように、ベース３はあるみダイキャストのような金属製品であり、その前寄り部位に第１軸部１３が配置されている。第１軸部１３は、ベース３の左右中間部に配置されたセンター筒２９と、左右の揺動フレーム１０に固定されたカバー筒３０と、これらセンター筒２９及びカバー筒３０の内部に配置された左右長手のトーションバー（図示せず）とを有している。センター筒２９は左右の軸受け部材３１でベース３に保持されており、トーションバーの左右中間部はセンター筒２９に固定されている。
【００３７】
また、トーションバーの左右両端部はそれそれ揺動フレーム１０に固定されており、従って、揺動フレーム１０はトーションバーをねじりながら後傾動し得る。センター筒２９には前向きアーム部２９ａが設けられており、前向きアーム部２９ａはくさび部材３２で上方から支持されている。くさび部材３２は軸受け（図示せず）でベース３に回転可能で左右動不能に保持された左右長手の前支軸３３に螺合している。
【００３８】
前支軸３３の一端部には回転操作用のグリップ３４を取り付けており、グリップ３４を回転するとくさび部材３２が左右移動する。くさび部材３２とセンター筒２９には前向きアーム部３２との接触面は前支軸３３の軸線に対して傾斜した傾斜面になっており、この傾斜面のガイド作用により、前支軸３３を回転するとくさび部材３２が左右移動してトーションバーの初期弾性力が変化する。
【００３９】
ベース３のうち第１支軸部１３を挟んで前支軸３３と反対側の部位には、背もたれ６を後傾不能な状態に保持するロック装置３５を設けてる。ロック装置３５は、カバー筒３０と一体に回動（回転）する第１ロック体と、第１ロック体に対して係脱する水平回動式の第２ロック体とを有しており、第２ロック体は、アウターシェル２２の右側部に設けたロックレバー３６（図１参照）の上向き回動操作によって回動操作される。
【００４０】
詳細は省略するが、ロックレバー３６の回動による動きは第１索導管（チューブ入りワイヤー）３７（図２参照）を介して第２ロック体に伝達される。また、第１ロック体には第１ロック体が嵌脱する溝が複数段形成されており、従って、背もたれ６は後傾し切る前の状態でもその姿勢を保持される。図１に示すように、アウターシェル２２の右側部には、ロックレバー３６と前後に並んだ上下回動式の昇降レバー３８を取り付けている。昇降レバー３８はガスシリンダである脚支柱２のロックを解除するものであり、その動きは第２索導管３９を介して昇降操作部材に伝達される。
【００４１】
２本の索導管３７，３９は側面視で前向き凹状に大きく湾曲してアウターシェル２２の上面からベース３の上面部に延びており、このため、アウターシェル２２が下降しつつ後傾しても両索導管３７，３９は緩く曲がるに過ぎず、このためワイヤーのスライドには支障はない。また、ベース３の後ろ上部において露出しているに過ぎないため、人の邪魔になることもない。
【００４２】
例えば図７に示すように、座４とベース３との間には平面視略四角形で上下に開口した中間部材４２が配置されている。中間部材４２は平面視でおおむね座４に似た外形を呈しており、その大きさは座４よりも小さい。そして、中間部材４２は後述する連動機構によってベース３に取り付けられており、また、座４のアウターシェル２２は中間部材４２に前後位置調節可能に取り付けられている。例えば図２に示すように、アウターシェル２２の左側部には座４の前後位置を調節するための座面レバー４０を設けている。
【００４３】
(4).連動機構の概略
次に、ロッキングに際して座４を後退しつつ後傾動させる連動機構を説明する。連動機構は、主要要素として、前支軸３３とアウターシェル２２とを連結するフロントリンク４３と、既述のリアリンク１４と、アウターシェル２２の後部に傾き突設したリアブラケット部４４に設けたリアガイドピン４６と、リアガイドピン４６が嵌まるように揺動フレーム１０に形成されたリアガイド溝４７（図３参照）と、アウターシェル２２の左右側面に取り付けた前後長手の補助枠材４５とを有している。
【００４４】
リアリンク１４の前部に上向きに立ち上がっており、このリアリンク１４の前部の上端部がリアピン４８でアウターシェル２２の側面に連結されている。また、図３（Ｂ）に示すように、リアガイド溝４７は側面視で緩い後傾して略前後方向に延びる長穴になっており、かつ、リアガイド溝４７は樹脂製の４９が嵌まっており、リアガイドピン４８に樹脂製の保護材５０が装着されている。
【００４５】
概略を述べると、人が背もたれ６にもたれ掛かって揺動フレーム１０が後傾すると、フロントリンク４３が前支軸３３を中心にして後傾しつつリアリンク１４が回動することにより、中間部材４２が後退しつつ後傾する。そして、アウターシェル２２に設けたリアガイドピン４６が揺動フレーム１０のリアガイド溝４７に嵌まっているため、アウターシェル２２は独自に動くことなく揺動フレーム１０との連動関係が強制的に保持されている。従って、リアガイドピン４６とリアガイド穴４７とは、アウターシェル２２と揺動フレーム１０との連動関係を強制させるガイド手段を構成している。
【００４６】
本実施形態の特徴として、既述のとおり座４はアウターシェル２２に前後位置調節可能に取り付けられており、図４に外観の一部だけを示すように、アウターシェル２２の左側部には、当該アウターシェル２２と中間部材４２との相対位置を変更するための切り換え装置５１が配置されている。そして、切り換え装置５１を構成する部材を補助枠材４５に係脱させることにより、中間部材４２に対する座４の前後位置が変更される。また、補助枠材４５は中間部材４２に前後スライド可能に取り付けられており、かつ、フロントリンク４３の上端は補助枠材４５に連結されている。これにより、ロッキングに際しては、座４（アウターシェル２２）が中間部材４２に対して相対的に後退動する。以下、詳述する。
【００４７】
(5).連動機構の詳細
例えば図８や図１０に示すように、フロントリンク４３は下部材５３と上部材５４とから成っており、下部材５３は前支軸３３に回転自在に嵌まっている。下部材５３には後方と上方とに開口した縦長溝５５が形成されており、この縦長溝５５に上部材５４が上下スライド自在に嵌まっている。上下部材５３，５４を直線姿勢に保持するガイド手段として、下部材５３の内側面にはガイド突起５６が形成され、上部材５４の外側面にはガイド段部５７が形成されている。
【００４８】
そして、下部材５３と上部材５４とには左右長手の中段ピン５８が貫通している。中段ピン５８は上部材５３の上端部を貫通しており、上部材５４において中段ピン５８が嵌まっている穴は長穴５９になっている。従って、上下部材５３，５４は互いにスライド自在でかつ抜け不能に保持されている。
【００４９】
例えば図８や図９に示すように、中間部材４２の前座には左右一対の前ブラケット部６０が下向きに突設されている。前ブラケット部６０は正面視で二本足方式になっている。そして、図１２（Ａ）に示すように、フロントリンク４３は中段ピン５８で前ブラケット６０に連結されている。中段ピン５８の先端部には、アウターシェル２２に貫通したビス６１がねじ込まれて抜け止めされている。
【００５０】
例えば図７に示すように、中間部材４２の左右両側面には上方と外側とに開口した段部６３が形成されており、この段部に補助枠材４５が前後スライド可能に嵌め込まれている。そして、図１２（Ａ）に示すように、補助枠材４５の前部とフロントリンク４３の上部材５４とが上段ピン６４で連結されている。図１２では表示していないが、例えば図１０に示すように、上部材５４の上端には止めビス６５がねじ込まれており、止めビス６５によって上段ピン６４は抜け不能に保持されている。
【００５１】
図１１（Ｂ）から理解できるように、補助枠材４５の後部にはリアピン４８が嵌まっている。この場合、補助枠材４５が中間部材４２に対して前後スライドすることを許容するため、補助枠材４５にリアピン４７が嵌まる穴は前後長手の長穴６６になっている。更に、図１２（Ａ）（Ｂ）に示すように、補助枠材４５はとアウターシェル２２によって上方と左右外側とから囲われており、このため補助枠材４５は上下方向と左右方向とに移動不能に保持されている。
【００５２】
例えば図９（Ａ）に示すように、補助枠材４５には下方と左右外側とに開口した下段部６７が形成されている一方、図５及び図１２（Ｂ）に示すように、アウターシェル２２には補助枠材４５の下段部６７に嵌合する鉤部６８が形成されている。このように、補助枠材４５は中間部材４２の側面部に上向き離脱不能に保持されていると共に、アウターシェル２２の鉤部６８が補助枠材４５の下段部６７に下方からスライド可能に嵌合しているため、結果としてアウターシェル２２は中間部材４２に対して上向き離脱不能で前後動可能に保持されている。補助枠材４５のうち上段ピン６４が嵌まっている部分には、位置決めのため横向きボス部６９を形成している。上段ピン６４の前後移動を許容するため、中間部材４２には前後長手の長穴７１（図７参照）が空いている。
【００５３】
例えば図７や図８に示すように、補助枠材４５のうち前寄り部位の外側面には前後方向に並んだ複数の係合溝７０が形成されている。そして、既述の切り換え装置５１を構成するストッパーを任意の係合溝７０に嵌め込むことにより、中間部材４２に対する座４（アウターシェル２２）の前後位置が既定されると共に、ロッキングに際してはアウターシェル２２は補助枠材４５と一緒に前後移動する。この点を項を改めて説明する。
【００５４】
(6).補助枠材とアウターシェルとの関係
次に、シート状材４の前後位置を調節するたそめの切り換え装置５１と補助枠材４５との関係を図１４に基づいて説明する。図１４において（Ａ）は下方から見た分離斜視図、（Ｂ）は上方から見た分離斜視図である。
【００５５】
切り換え装置５１は、人が指で引き上げ回動する座面レバー４０と、座面レバー４０の引き上げ回動操作によって左右外側に後退動するストッパー７２とと、ストッパー７２を前進方向に補正するばね７３と、座レバー４０をアウターシェル２２に固定する第１保持体７４と、ストッパー７２やばね７３を保持する第２保持体７５とを有している。
【００５６】
ストッパー７２の先端部は逆Ｔ形になっていて、下端には舌片７６が突出している一方、補助枠材４５の係合溝７０はその下部において下スリット７７を介して連通しており、ストッパー７２の舌片７６は常に下スリット７７の個所に位置している。そして、座面レ葉４０を上に引くとストッパー７２が補助枠材４５の係合溝７０から離脱することにより、アウターシェル２２は補助枠材４５に対する前後位置を調節できる。そして、ストッパー７２が補助枠材４５の係合溝７０に嵌まっていると、アウターシェル２２と補助枠材４５とは一体に前後動し、従って、背もたれ５が後傾すると座４も後退動する。
【００５７】
例えば図５に示すように、アウターシェル２２には切り換え装置５１を取り付けるための凹所が形成されており、ストッパー７２は凹所の部位に設けた穴から補助枠材４５に向けて突出している。保持体７４，７５はアウターシェル２２にビスで固定されている。
【００５８】
(7).まとめ
ロッキングに際しての各部材のを動きは図１３で模式的に表示している。すなわち、着座した人が背もたれ６にもたれ掛かって背フレーム５（揺動フレーム１０）が後傾すると、座４と中間部材４２とは後傾しつ後退動する。この場合、座４と中間部材４２との側面視での相対的な姿勢には違いはないが、フロントリンク４３とリアリンク１４との関係により、背もたれ６の後傾の割合よりも座４及び中間部材４２の後傾の割合が小さい。従って、身体が過度に屈み勝手になることはない。
【００５９】
そして、フロントリンク４３が伸縮式であることと、上段ピン６４が中段ピン５８の上方に位置していることにより、補助枠材４５及びアウターシェル２２は中間部材４２よりも大きい寸法で後退動し、これにより、座４を大きく後退動させることができる。その結果、座４と背もたれ６との前後位置及び上下位置をロッキングの前後で殆ど変わらない状態に保持することができるのであり、これにより、シャツめくれ現象がない快適なロッキング状態を得ることができる。
【００６０】
(8).その他
本願発明は上記の実施形態の他にも様々に具体化できる。例えば、適用対象は必ずしも回転椅子に限定されるものではなく、例えば劇場用椅子やベンチのような固定式椅子にも適用できる。背もたれは樹脂製の背板（インナーシェル）にクッションを張った方式とすることも可能である。
【００６１】
中間部材を有している場合、ロッキングに際して座４を中間部材４２よりもおおきな割合で後退させる手段としはて実施形態のように伸縮式のフロントリンクを採用する必然性はないのであり、フロントリンクとは別の後退動機構を並設することも可能である。また、フロントリンクを伸縮式にする場合、例えば外筒とこれに嵌まったインナー部材との組み合わせなど、様々な構造を採用できる。
【図面の簡単な説明】
【００６２】
【図１】（Ａ）は椅子の斜視図、（Ｂ）は背もたれの部分的な一部破断正面図である。
【図２】椅子の側面図である。
【図３】（Ａ）は座を省略した斜視図、（Ｂ）は揺動フレームの斜視図である。
【図４】座の分離斜視図である。
【図５】（Ａ）はインナーシェルとアウターシェルと分離平面図、（Ｂ）はインナーシェルとアウターシェルとを上下に分離した状態での（Ａ）のＢ−Ｂ視断面図、（Ｃ）はインナーシェルとアウターシェルとを上下に分離した状態での（Ａ）の（Ｃ）視断面図である。
【図６】アウターシェルを省略した状態での正面方向からの斜視図である。
【図７】要部を斜め上方から見た分離斜視図である。
【図８】要部を斜め下方から見た分離斜視図である。
【図９】（Ａ）は要部の正面方向からの分離図で（Ｂ）は要部側面図である。
【図１０】フロントリンクの分離斜視図である。
【図１１】（Ａ）は要部の平面図、（Ｂ）は要部の分離平面図である。
【図１２】（Ａ）は図１１（Ａ）の XIIA-XIIA視断面図、（Ｂ）は図１１（Ａ）の XIIB-XIIB視断面図である。
【図１３】動きを説明するための模式図である。
【図１４】座面調節装置と補助枠材との分離斜視図である。
【符号の説明】
【００６３】
１  脚装置
３  ベース
４  座
５  フレーム装置
６  背もたれ
１１  揺動フレーム
１４  連動機構の一部を構成するリアリンク
２１  座のインナーシェル
２２  座のアウターシェル
４２  中間部材
４３  フロントリンク
４５  補助枠材
５３  フロントリンクの下部材
５４  フロントリンクの上部材
【図１】
2010099445.tif 000003
【図２】
2010099445.tif 000004
【図３】
2010099445.tif 000005
【図４】
2010099445.tif 000006
【図５】
2010099445.tif 000007
【図６】
2010099445.tif 000008
【図７】
2010099445.tif 000009
【図８】
2010099445.tif 000010
【図９】
2010099445.tif 000011
【図１０】
2010099445.tif 000012
【図１１】
2010099445.tif 000013
【図１２】
2010099445.tif 000014
【図１３】
2010099445.tif 000015
【図１４】
2010099445.tif 000016